(57)【要約】【課題】汚れた襟部分を容易に洗濯することができ、側生地の表面形状による効果を保ったまま側生地の襟部の汚れを防止できる、寝具を提供する。【解決手段】本考案の寝具１００は、側生地本体部２０と襟カバー部１０とからなり、側生地本体部２０と襟カバー部１０は、それぞれを着脱可能に取付可能なファスナー部３０、４０がそれぞれ形成され、襟カバー部１０の横幅と側生地本体部２０の横幅はそれぞれ同一とされ、襟カバー部１０の縦幅Ｌ１は、側生地本体部２０の縦幅Ｌ２よりも４分の１以下とされる。また、ファスナー部３０、４０は、側生地本体部２０と襟カバー部１０の横幅の方向がそれぞれの着脱方向とされ、ファスナー部３０を解放することで襟カバー部１０が寝具カバー本体部２０から取り出されること。【選択図】図１
0003196076.tif 000002
【実用新案登録請求の範囲】
【請求項１】
側生地本体部と、該側生地本体部の端部に取り付けられる襟カバー部とからなり、
側生地本体部と襟カバー部は、それぞれを着脱可能に取付可能なファスナー部がそれぞれ形成され、
襟カバー部の横幅と側生地本体部の横幅はそれぞれ同一とされ、
襟カバー部の縦幅は、側生地本体部の縦幅よりも４分の１以下とされ、
ファスナー部は、側生地本体部と襟カバー部の横幅の方向が側生地本体部と襟カバー部の着脱方向とされ、ファスナー部を解放することで襟カバー部が側生地本体部から取り外されること
を特徴とする寝具。
【考案の詳細な説明】
【技術分野】
【０００１】
本考案は、寝具に関するものである。
【背景技術】
【０００２】
従来、敷布団や掛布団等の寝具は、側生地内に綿や羽毛を内包してなり（これは総称して布団といわれている）、この種の寝具を清潔に保つためには、更にこれら側生地を寝具カバー内に内包し、この寝具カバーをこまめに寝具から取り外して洗濯する必要があった。しかし、この種の寝具カバーは、例えば、二枚の布を縫い合わせて方形の袋状体とし、一辺あるいは二辺にファスナーを設けた構成であるが、寝具自体が大型であることもあってこの寝具に対する装着脱作業には非常に手間がかかり、洗濯を行うことは容易ではなかった。また、寝具カバーは、人体の頭部や顔面部との接触により特に襟部分が汚れ易かった。
【０００３】
このため従来から、寝具カバーの襟部分にさらに襟カバーが設けられ、この襟カバーが着脱可能とされた寝具カバーが提案されており、例えば特許文献１に開示されている。この襟部分着脱タイプの寝具カバーにあっては襟カバーだけを取り外して簡単に洗濯できるという利点がある。
【先行技術文献】
【特許文献】
【０００４】
【特許文献１】実用新案登録第３０５３８５５号
【考案の概要】
【考案が解決しようとする課題】
【０００５】
しかし、上記特許文献１記載の寝具カバーは、襟部分のカバーが幅全体に亘っていないために、カバーのいき亘らない幅部分の襟部が依然として著しく汚れやすくなっており、また、その箇所の洗濯の際には寝具カバー全体を取り外さなければならず、洗濯にかかる労力が大きいという課題があった。
【０００６】
また、襟部分以外の本体部分の表面に形成されてなる側生地（以下、側生地と総称する。）において、汚れを防ぐために特許文献１記載の寝具カバーを用いた際、表面がカバーに覆われてしまい、この種の側生地の表面形状の効果が発揮できない。
【０００７】
本考案は、汚れた襟部分を容易に洗濯することができ、側生地の表面形状による効果を保ったまま側生地の襟部の本体の汚れを防止できる、寝具を提供することにある。
【課題を解決するための手段】
【０００８】
本考案の寝具は側生地本体部と、該側生地本体部の端部に取り付けられる襟カバー部とからなり、
側生地本体部と襟カバー部は、それぞれを着脱可能に取付可能なファスナー部がそれぞれ形成され、
襟カバー部の横幅と側生地本体部の横幅はそれぞれ同一とされ、
襟カバー部の縦幅は、側生地本体部の縦幅よりも４分の１以下とされ、
ファスナー部は、側生地本体部と襟カバー部の横幅の方向が側生地本体部と襟カバー部の着脱方向とされ、ファスナー部を解放することで襟カバー部が側生地本体部から取り外されること
を特徴としている。
【考案の効果】
【０００９】
本考案は上述のように構成したので、汚れた襟部分を容易に洗濯することができ、側生地の表面形状による効果を保ったまま側生地の襟部の本体の汚れを防止できる、寝具を提供することができる。
【図面の簡単な説明】
【００１０】
【図１】本考案の実施例の寝具の概略平面図である。
【図２】図１の寝具の襟カバー部側の側面断面図である。
【考案を実施するための形態】
【００１１】
以下、本考案の実施例の寝具について、図面に基づいて説明する。
【００１２】
図１は、本考案の実施例の寝具の概略平面図である。本実施例の寝具１００は、側生地本体部２０、この側生地本体部２０の端部に上掛けして取り付けられる襟カバー部１０とからなり、側生地本体部２０と襟カバー部１０は、それぞれを着脱可能に取付可能なファスナー部３０、４０がそれぞれ形成される。
【００１３】
ここで、上述の側生地本体部２０の側生地は、綿や羽毛等の詰め物を内包する布団の布地部分のことを指す。
【００１４】
また、襟カバー部１０の横幅と側生地本体部２０の横幅はそれぞれ同一とされ、襟カバー部１０の縦幅Ｌ１は、側生地本体部２０の縦幅Ｌ２よりも４分の１以下とされる。また、ファスナー部３０、４０は、側生地本体部２０と襟カバー部１０の横幅の方向が側生地本体部２０と襟カバー部１０の着脱方向とされ、ファスナー部３０を解放することで襟カバー部１０が側生地本体部２０から取り外されるように構成されている。ここで、側生地自体の縦幅は、Ｌ１＋Ｌ２とされ、Ｌ１分の側生地の部分は、襟カバー部１０によって覆われることになる。
【００１５】
本実施例の寝具１００は、側生地本体部２０と襟カバー部１０は、それぞれを着脱可能に取付可能なファスナー部３０、４０がそれぞれ形成されており、ファスナー５０によって側生地本体部２０と襟カバー部１０それぞれの着脱がなされる。このファスナー５０は、寝具カバー本体部２０のファスナー部３０に取り付けてもよいし、襟カバー部１０のファスナー部４０に取り付けてもよい。
【００１６】
これにより、側生地本体部２０と襟カバー部１０は、それぞれ異なる材質・色のものも適用可能としている。従い、色々な模様若しくは柄を施した側生地本体部２０と襟カバー部１０を用いることができ、意匠性にも優れた構成となっている。
【００１７】
また、襟カバー部１０の横幅と側生地本体部２０の横幅はそれぞれ同一とされており、つまり側生地本体部２０の一端側は襟カバー部１０によってまかなわれている。これにより、襟部分のカバーが幅全体に亘っているために、人体の頭部や顔面部と接触することによる汚れを襟カバー部１０にて一手に引き受けることが可能となっている。また、側生地本体部２０の一端側は襟カバー部１０によってまかなわれているため、寝具１００は、側生地本体部２０と襟カバー部１０の２つの部品によって一体化され全体的に意匠性の優れたものとなっている。
【００１８】
また、襟カバー部１０の縦幅Ｌ１は、側生地本体部２０の縦幅Ｌ２よりも４分の１以下とされており、つまり人体の頭部や顔面部と接触する箇所の汚れを重点的に襟カバー部１０にて十分に引き受ける構成となっており、また、幅短となっているために、側生地本体部２０からの取り外しも容易となっている。なお、襟カバー部１０の裏側の縦幅は、後述する図２に示すように、人体の一般的な上体部の長さ程度に幅を設けてもよい。このようにすることで、人体の上体部への接触に基づく汚れも上記襟カバー部１０の裏側の縦幅にて一手に引き受けることが可能となる。
【００１９】
図２は、図１の寝具の襟カバー部側の側面断面図である側生地本体部２０と襟カバー部１０は、一面側にファスナー部３０、４０が設けられ、反対面側にはファスナー部３１、４１が設けられる。ファスナー部３１、４１には、いずれか一方に設けられた、上述のファスナー５０と同様構造の図示しないファスナー部によってそれぞれの着脱が行われる。
【００２０】
これら、ファスナー部３０、４０、３１、４１は、それぞれ、側生地本体部２０と襟カバー部１０の横幅の方向が側生地本体部２０と襟カバー部１０の着脱方向とされ、ファスナー部３０を解放することで襟カバー部１０が側生地本体部２０から取り外される。これにより、側生地本体部２０と襟カバー部１０それぞれの着脱をより簡単に行うことができる。
【００２１】
このように構成した本考案の寝具カバー１００は、使用時は襟カバー部１０に人体の頭部や顔面部と接触させ、側生地本体部２０に人体の頭部や顔面部以外の胴体部や四肢部を接触させて使用する。この際、襟カバー部１０の汚れが著しくなるが、この襟カバー部１０を側生地本体部２０からファスナー５０を用いることによるファスナー部３０、４０の着脱を行うことができるので、容易に汚れの著しい襟カバー部１０を取り外し洗濯することができるので、寝具の本体（側生地）の汚れを大幅に軽減することができる。
【００２２】
また、側生地本体部２０と襟カバー部１０は、ファスナー部３０、４０により、それぞれしっかり止めてあるので、就寝中に側生地の襟部がはずれてしまうようなことはない。このようにすれば、別体の襟カバーは必要なくなり、就寝中の人体の動きにより重ねた襟カバー部１０が動いたり、外れたりすることがなくなる。
【００２３】
また、別体の襟カバーを側生地に重ねて設けることを要しないので寝具自体の意匠性も損なわれることがない。また、以上により襟カバー部１０を簡単に着け外しができるので、汚れの激しい襟部のみを洗濯することが極めて容易になり、大きな寝具カバー全体を外して洗濯をする重労働を大幅に軽減することができる。
【００２４】
このように、本考案により、汚れの激しい襟カバー部を外して容易に洗濯することができるので、洗濯にかかる労力は大幅に軽減され、かつ、襟カバー部のみを洗濯することができる結果、別の襟カバーを使用する必要はなく、従って就寝中に別体の襟カバー使用にともなう問題は一切生ずることはない。さらに別体の襟カバーを使用せずにすむことで、寝具カバー自体の意匠性が損なわれずにすむ。
【００２５】
また、本考案の実施例によれば、側生地を寝具カバーで覆う必要がなくなるため、襟部分以外の本体部分の表面に形成されてなる側生地においても、側生地の表面形状による効果を保ったまま側生地の襟部の本体の汚れを防止することができる。
【００２６】
このように、本考案の寝具によれば、汚れた襟部分を容易に洗濯することができ、側生地の表面形状による効果を保ったまま側生地の襟部の本体の汚れを防止できる、寝具を提供することができる。
【００２７】
また、本考案は毛布についても適用することができ、上述の本考案の実施例と同様の効果を奏することができる。
【符号の説明】
【００２８】
Ｌ１…襟カバー部の縦幅、Ｌ２…側生地本体部の縦幅、１０…襟カバー部、２０…側生地本体部、３０、４０…ファスナー部、１００…寝具。
【図１】
0003196076.tif 000003
【図２】
0003196076.tif 000004